(57)【要約】【解決手段】  ルアー１は、頭部３と、頭部３の後方に設けられた尾部４と、頭部３と尾部４とを連結する連結手段５とを備え、連結手段５は頭部３と尾部４とを連結するリング部材５ａ、５ｂと、該リング部材５ａ、５ｂに対して上下左右に設けられたばね部材５ｃとから構成されている。  釣り糸Ｌの接続されたアイ２は頭部３の側面に設けられており、ルアー１をリトリーブすると、ルアー１にはアイ２の設けられている側に水流抵抗が作用し、尾部４が頭部３に対して振れるようになる。  すると、上記連結手段５のばね部材５ｃの弾発力によって速やかに尾部４が元の自然状態に復帰し、これにより尾部４が細かく振動し、水面に細かな波紋を形成することができる。【効果】  ハードルアーであっても、魚に対して効果的にアピールすることができる。【選択図】  図２
2008182996.tif 000002
【特許請求の範囲】
【請求項１】
釣り糸を接続するアイが固定された頭部と、頭部の後方に設けられた尾部と、頭部と尾部とを互いに連結する連結手段とを備え、上記連結手段によって尾部が頭部に対して振れるようにしたルアーにおいて、
上記アイを上記頭部の先端部よりも尾部側となる位置に設けるとともに、上記連結手段は弾性変形するようになっており、
リトリーブによって上記尾部が連結手段の弾発力に抗して振れた際に、該連結手段がその弾発力により尾部を反対方向に付勢することを特徴とするルアー。
【請求項２】
上記連結手段は、頭部の後部および尾部の前方のそれぞれに設けられて相互に連結されたリング部材と、頭部と尾部との間に弾装されたばね部材とから構成され、
上記ばね部材を、少なくとも上記リング部材よりも上記アイの設けられている側に設けるとともに、上記リング部材を挟んで反対側にも設けたことを特徴とする請求項１に記載のルアー。
【請求項３】
上記頭部もしくは尾部の少なくともいずれか一方にバラストを設け、ルアーを水中に投じた際に、当該バラストが下方に位置した状態で上記頭部の姿勢が維持されるようにし、
この状態において、上記アイが該頭部の上下方向中間位置から水平方向に向けて突出するようにしたことを特徴とする請求項１または請求項２のいずれかに記載のルアー。
【請求項４】
上記頭部は魚の頭部を模して製造され、上記尾部は魚の尾部を模して製造されていることを特徴とする請求項１ないし請求項３のいずれかに記載のルアー。
【請求項５】
上記連結手段は、上記頭部と尾部とを直線状に保持することを特徴とする請求項１ないし請求項４のいずれかに記載のルアー。
【請求項６】
ルアーを水に投入すると、ルアーが水面に浮かんだ状態となるよう、ルアー全体の重さが調整されていることを特徴とする請求項１ないし請求項５のいずれかに記載のルアー。
【発明の詳細な説明】
【技術分野】
【０００１】
本発明はルアーに関し、より詳しくは頭部と尾部とを連結手段で連結したルアーに関する。
【背景技術】
【０００２】
従来、魚釣りに用いるさまざまなルアーが提案されている。例えば、釣り針に自在に変形するゴム等からなるワームを装着したソフトルアーや、魚の形状等を模したバルサ材や硬質樹脂からなるハードルアーが知られている。
このうち、上記ソフトルアーについては、根がかり等によって上記ワームが水中に放置されてしまうことによる環境への影響等が懸念されており、そのため上記ソフトルアーの使用を禁止したいわゆる管理釣り場が増えている。
一方、上記ハードルアーはソフトルアーのように水中で自在に変形しないため、魚に対するアピール度が低く、ソフトルアーと比較して釣果が上がりにくいという欠点があった。
そこで、釣り糸を接続するアイが固定された頭部と、頭部の後方に設けられた尾部と、頭部と尾部とを互いに連結する連結手段とを備え、上記連結手段によって尾部が頭部に対して振れるようにしたハードルアーが知られている。（特許文献１）
この特許文献１のルアーによれば、釣り糸で引く（リトリーブする）と、水流抵抗によって尾部が頭部に対して振れるため、ハードルアーであっても魚にアピールすることができるようになっている。
【特許文献１】特開２００３−１０２３４１号公報
【発明の開示】
【発明が解決しようとする課題】
【０００３】
しかしながら上記特許文献１のルアーの場合、リトリーブする速度が遅い場合には尾部の振れが緩やかになってしまうため、十分に魚にアピールすることができないという問題があった。
このような問題に鑑み、本発明は、上記頭部と尾部とを連結手段によって連結したルアーであって、より強く魚へのアピールをすることの可能なルアーを提供するものである。
【課題を解決するための手段】
【０００４】
すなわち本発明のルアーは、釣り糸を接続するアイが固定された頭部と、頭部の後方に設けられた尾部と、頭部と尾部とを互いに連結する連結手段とを備え、上記連結手段によって尾部が頭部に対して振れるようにしたルアーにおいて、
上記アイを上記頭部の先端部よりも尾部側となる位置に設けるとともに、上記連結手段は弾性変形するようになっており、
リトリーブによって上記尾部が連結手段の弾発力に抗して振れた際に、該連結手段がその弾発力により尾部を反対方向に付勢することを特徴としている。
【発明の効果】
【０００５】
上記発明によれば、ルアーをリトリーブすると、釣り糸を介してルアーを引っ張る方向と、ルアーの進行しようとする方向との違いにより、アイの設けられた側に大きな水流抵抗が作用するようになる。
すると、水流抵抗は連結手段の弾発力に抗して尾部を振るようになり、一方該連結手段はその弾発力により尾部を反対方向に付勢して、尾部を速やかに元の状態に復帰させようとする。
その結果、頭部と尾部とは細かな振動を起こすようになり、リトリーブする速度が遅い場合であっても、より強く魚にアピールすることが可能となる。
【発明を実施するための最良の形態】
【０００６】
以下図示実施例について本発明を説明すると、図１、図２は本発明にかかるルアー１を示している。
ルアー１は釣り糸Ｌの接続されたアイ２の固定された頭部３と、頭部３の後方に設けられた尾部４と、これら頭部３と尾部４とを相互に連結する連結手段５とから構成され、頭部３の下方および尾部４の下方には三叉の釣り針６（トレブルフック）が設けられている。
上記頭部３および尾部４はバルサ材や硬質樹脂で製造されており、本実施例のルアー１はワームなどのソフトルアーの使用が禁止された釣り場でも使用可能なハードルアーとなっている。
また上記ルアー１は小魚を模して作成されており、頭部３の両側面には義眼３ａが装着されるとともに、尾部４の後端には尾びれ４ａが形成され、またルアー１全体には魚に似せた塗装やその他魚にアピールするのに好適な模様が施されている。
さらに、上記頭部３および尾部４の下方にはそれぞれバラスト７が内蔵されており、ルアー１を水中に投入（キャスティング）すると、このバラスト７が下方に位置して、上記義眼３ａが両側に位置し、尾びれ４ａが上下方向を向くような姿勢に維持される。
また上記ルアー１全体の重量バランスは、キャスティングした際にルアー１が水面に浮上した状態を維持するように調整されている。
なお、上記釣り針６は頭部３および尾部４のそれぞれに１つずつ連結されているが、ルアー１の大きさに応じてその数や位置を変更することも可能である。
【０００７】
上記頭部３は断面が略楕円形で、先端となるにつれて縮径するとともに後端部が切り落とされた略弾丸状となっており、後端部の中央は連結手段５のリング部材５ａを埋設するために後方に突出している。
また上記バラスト７により、ルアー１がキャスティングされると、上記頭部３の断面における長軸が上下方向を向くようになっている。
頭部３の先端部よりも尾部４側となる位置には、上記アイ２が設けられており、具体的にはアイ２は義眼２ａの後方に設けられており、またルアー１が上記バラスト７を下方に位置させた状態で維持されたときに、上記アイ２が該頭部３の上下方向中間位置から水平方向に向けて突出するようになっている。
本実施例では上記アイ２はルアー１の左側に設けられているが、右側に設けてもよいことは言うまでもない。
【０００８】
上記尾部４は断面が略楕円形で、後端となるにつれて縮径するとともに先端部が切り落とされた略弾丸状となっており、先端部の中央は上記連結手段５のリング部材５ｂを埋設するために前方に突出している。
また上記バラスト７により、ルアー１がキャスティングされると、上記尾部４の断面における長軸が上下方向を向くようになっている。
【０００９】
上記連結手段５は、頭部３の後端に設けられたリング部材５ａと、尾部４の先端に設けられたリング部材５ｂと、頭部３と尾部４との間に弾装されると共に、上記リング部材５ａ、５ｂの上下左右に設けられた４つのばね部材５ｃとから構成されている。
上記頭部３に設けられたリング部材５ａと尾部４に設けられたリング部材５ｂとは相互に直交した状態で連結されており、このリング部材５ａ、５ｂにより頭部３と尾部４とは自在に振れるようになっている。
各ばね部材５ｃの先端は頭部３の後端に埋設され、後端は尾部４の先端に埋設されている。また図１に示すように２本のばね部材５ｃはリング部材５ａ、５ｂを挟んで上下となる位置に設けられ、また図２に示すように他の２本のばね部材５ｃは上記リング部材５ａ、５ｂを挟んで左右となる位置に設けられている。
これらのばね部材５ｃはルアー１に水流抵抗等が作用していない自然状態では、上記頭部３と尾部４とを直線状に保持するようになっている。
【００１０】
上記構成を有するルアー１について、水中での動作について説明する。
最初に、上記ルアー１をキャスティングすると、ルアー１は水面に浮上すると共に、上記バラスト７によって釣り針６が下方に位置する状態で静止し、上記アイ２は頭部３に対して水平方向に突出するようになる。
この釣り糸Ｌが引かれていない状態では、ルアー１に水流抵抗は作用しておらず、このため尾部４は頭部３に対して振れない自然状態を保っている。
この状態からルアー１をリトリーブすると、最初に釣り糸Ｌが引っ張られてアイ２が釣り人側に位置するようになり、その後釣り糸Ｌの引っ張り力は頭部３の側面に作用することとなる。
これに対し、頭部３の先端は弾丸形状を有しており、また頭部３と尾部４とは直線状に保持されているため、ルアー１自体は頭部３と尾部４とを結んだ方向に進もうとする。
このように、釣り糸Ｌの引っ張り方向とルアー１の形状に基づく進行方向とが異なることから、ルアー１をリトリーブすると、頭部３および尾部４には上記アイ２の設けられている側に大きな水流抵抗が発生することとなる。
【００１１】
この水流抵抗は尾部４に作用すると、上記ばね部材５ｃの弾発力に抗して当該尾部４を振るようになる。
具体的には、尾部４は上記リング部材５ａ、５ｂを支点に上記頭部３に対して引っ張り方向とは逆方向（図２の上方向）に振れるようになり、このため上記連結手段５におけるばね部材５ｃのうち、リング部材５ａ、５ｂの左方に位置するばね部材５ｃは圧縮され、右方に位置するばね部材５ｃは伸展するようになる。
このようにして尾部４が頭部３に対して振れると、上記ばね部材５ｃは元の形状に復帰しようとして、尾部４を再び頭部３と尾部４とが直線状となる自然状態に復帰させる。
つまり、リング部材５ａ、５ｂの左方に位置するばね部材５ｃは伸展する方向に、右方に位置するばね部材５ｃは圧縮される方向にそれぞれ付勢力を発生させることとなる。
以上のように、リトリーブによって尾部４に水流抵抗が作用して尾部４が頭部３に対して振れると、連結手段５のばね部材５ｃによって尾部４は速やかに元の自然状態に復帰するため、尾部４は細かく振動するようになる。
このときルアー１は水面に浮上しているため、尾部４が振れることで水面には細かな波紋が形成されることとなり、この細かな波紋によって魚に対するアピールを行うことができる。
この効果は特にルアー１を低速でリトリーブした場合に顕著であり、低速でリトリーブした場合であっても尾部４が細かく振動するので、魚に対するアピール度を高くすることができる。
これに対し、上記特許文献１のような従来のルアーの場合、リトリーブによって尾部に水流抵抗が作用しても、本実施例のルアー１のように尾部４が細かく振動せず、低速でリトリーブした場合には波紋が細かく形成されないため、魚に対するアピール度が低いものとなっていた。
なお、ルアー１をリトリーブすると、ルアー１の周囲に発生する水流抵抗によって、上記尾部４はアイ２の設けられている側や、上下方向にも触れるようになるが、この場合も上記ばね部材５ｃの弾発力によってもとの自然状態に復帰し、細かい振動をするようになる。
【００１２】
なお、上記実施例では連結手段５におけるばねはリング部材５ａ、５ｂを挟んで上下左右に設けられているが、本実施例におけるルアー１のように水面でリトリーブする場合、リング部材５ａ、５ｂの上下位置に設けたばね部材５ｃについては省略することも可能である。
また、上記実施例のように連結手段５をリング部材５ａ、５ｂと複数のばね部材５ｃとから構成するのではなく、たとえば頭部３と尾部４とを板ばねによって相互に連結し、この板ばねによって尾部４が頭部３に対して左右に振れるようにすれば、リトリーブすることにより上記実施例と同様の効果が得られる。
さらに、上記水面で停止した自然状態において、最初から上記尾部４を頭部３に対してアイ２の設けられている側に傾けた状態で頭部３に連結することも可能である。
そして、本実施例のルアー１は水面に浮上させた状態で使用するいわゆる「フローティングルアー」であるが、その他ルアー１が自重によって水中で沈むように構成しても、いわゆる「サスペンドルアー」としてルアー１が水中の一定の深さに留まるように構成してもよい。
【図面の簡単な説明】
【００１３】
【図１】本実施例にかかるルアーの側面図。
【図２】上記ルアーについての平面図。
【符号の説明】
【００１４】
１  ルアー                          ２  アイ
３  頭部                            ４  尾部
５  連結手段                        ５ａ、５ｂ  リング部材
５ｃ  ばね部材
【図１】
2008182996.tif 000003
【図２】
2008182996.tif 000004